(57)【要約】      （修正有）【課題】携帯性、操作性及びバランス性に優れ、部品点数が少なく、また缶詰を温めるのに適している。【解決手段】枠状に折り曲げ形成され、上下の支持部３，５を有する第１支持体１と第２支持体１１とを開閉自在に組み合わせ、下方の熱源で支持部に載せた容器を加熱する携帯型の飲食物容器用スタンドＸであって、第１支持体１の上の支持部３は、略円形中央部２の側周面２ｂに二方向に延びるようにかつ水平方向で回転対称になるように左右一対連設され、第１、第２支持体の略中央部は、下方の支持部に交差状に連設する連結部６，１６となっており、第１、第２支持体１，１１は、閉じた姿勢から相対的に回転して略Ｘ状に開いた姿勢になったとき、第１支持体１の連結部６の下向き凹所の内壁面の外縁部分と第２支持体１１の連結部の連設角部分とが互いに干渉し合って第１支持体と第２支持体が所定角度以上に回転しない携帯型の飲食物容器用スタンドを提供する。【選択図】図２
2018094106.tif 000002
【特許請求の範囲】
【請求項１】
それぞれ枠状に折り曲げ形成され、かつその一部にそれぞれ上下の支持部（３、５、１３、１５）を有する第１支持体（１）と第２支持体（１１）とを開閉自在に組み合わせ、下方に配設された熱源の熱を前記上の支持部（３、１３）に載せた飲食物の容器に与える携帯型の飲食物容器用スタンド（Ｘ）であって、前記第１支持体の上の支持部（３）は、前記飲食物の容器に前記熱源の熱を与える略円形中央部（２）の側周面（２ｂ）に二方向に延びるように、かつ水平方向で回転対称になるように左右一対連設され、さらに、前記上の支持部の一辺の前記略円形中央部（２）の側周面に連設する根本部位には、少なくとも一つのストッパ部（３ａ）が設けられ、一方、前記第２支持体の上の支持部（１３）の内端部（１３ａ）は、切欠部（１２）によって形成され、かつ前記略円形中央部の側周面（２ｂ）に対して対面状態で挟む切欠面（１２ａ）を有し、前記第１支持体と前記第２支持体は、前記上の支持部が互いに略平行状態の閉じた姿勢から相対的に回転して略Ｘ状に開いた姿勢になったとき、前記ストッパ部（３ａ）は前記切欠面（１２ａ）の一端部を受け止め、これが第１支持体と第２支持体の回転角度の限界点となる携帯型の飲食物容器用スタンド。
【請求項２】
請求項１に於いて、第１支持体は、側周面に直交する水平熱伝導面を有する略円形中央部と、この略円形中央部の外側に張出状に延びる左右一対の上の支持部と、該上の支持部の折り曲げ外端部にそれぞれ連設する左右一対の脚部と、該脚部の下端部にそれぞれ連設する左右一対の下の支持部と、該下の支持部の内端部に多少段差状に架設され、かつ中心開口を有する連結部とから成ることを特徴とする携帯型の飲食物容器用スタンド。
【請求項３】
請求項１又は請求項２に於いて、第１支持体の略円形中央部には、熱源の熱を通す透孔が形成されていることを特徴とする携帯型の飲食物容器用スタンド。
【請求項４】
請求項１に於いて、第２支持体は、内端部に切欠面を有する左右一対の上の支持部と、該上の支持部の折り曲げ外端部にそれぞれ連設する左右一対の脚部と、該脚部の下端部にそれぞれ連設する左右一対の下の支持部と、該下の支持部の内端部に連設すると共に中心軸孔を有する連結部とから成り、前記上の支持部、脚部、下の支持部及び連結部は、帯状の金属板を複数回折り曲げ形成され、全体として一部に切欠部を有する矩形枠状になっていることを特徴とする携帯型の飲食物容器用スタンド。
【請求項５】
請求項１に於いて、第１支持体と前記第２支持体は、第１支持体の略円形中央部の略中心部を通る垂直軸線上に位置する下方の連結支軸を介して開閉自在であることを特徴とする携帯型の飲食物容器用スタンド。
【請求項６】
請求項５に於いて、第１支持体と第２支持体は、固形燃料（Ｆ）を嵌め込むことができる凹所状受け部を有し、この凹所状受け部は、連結支軸を介して第１支持体１及び第２支持体に設けられていることを特徴とする携帯型の飲食物容器用スタンド。
【請求項７】
請求項１に於いて、第１支持体と前記第２支持体の上の支持部は、それぞれ中途部の外側が高くなる段差部を有し、さらに、上の支持部の折り曲げ外端部は、それぞれ上方に所定量突出する飲食物容器用落下防止部であることを特徴とする携帯型の飲食物容器用スタンド。
【請求項８】
それぞれ枠状に折り曲げ形成され、かつその一部にそれぞれ上下の支持部（３、５、１３、１５）を有する第１支持体（１）と第２支持体（１１）とを開閉自在に組み合わせ、下方に配設された熱源の熱を前記上の支持部（３、１３）に載せた飲食物の容器に与える携帯型の飲食物容器用スタンド（Ｘ）であって、前記第１支持体の上の支持部（３）は、前記飲食物の容器に前記熱源の熱を与える略円形中央部（２）の側周面（２ｂ）に二方向に延びるように、かつ水平方向で回転対称になるように左右一対連設され、さらに、前記略円形中央部の下方に位置する前記第１支持体及び第２支持体の略中央部は、各々前記下方の支持部に交差状に連設する連結部（６、１６）となっており、前記第１支持体と前記第２支持体は、前記上の支持部が互いに略平行状態の閉じた姿勢から相対的に回転して略Ｘ状に開いた姿勢になったとき、前記第１支持体の連結部（６）の下向き凹所の内壁面の外縁部分（６ａ）と前記第２支持体の連結部（１６）の連設角部分（１６ａ）とが互いに干渉し合って該第１支持体と第２支持体が所定角度以上に回転しない携帯型の飲食物容器用スタンド。
【請求項９】
請求項８に於いて、第１支持体の上の支持部の一辺の略円形中央部の側周面に連設する根本部位には、少なくとも一つのストッパ部が設けられ、一方、第２支持体の上の支持部の内端部は、切欠部によって形成され、かつ略円形中央部の側周面に対して対面状態で挟む切欠面を有し、第１支持体と第２支持体は、上の支持部が互いに干渉し合って回転角度の限界点となることを特徴とする携帯型の飲食物容器用スタンド。
【発明の詳細な説明】
【技術分野】
【０００１】
本発明は、お湯を沸かす、缶詰を温める等に適した携帯型の飲食物容器用スタンドに関する。
【背景技術】
【０００２】
特許文献１の発明の課題は、「機能的で、コンパクトで、携帯性に秀れた加熱用調理台を提供すること」である。その解決手段は、「合わせ閉塞し得る一対の偏平体１，２を枢着し、この枢着部を支点に離反する方向に偏平体を回動して平面より見てＶ字状に開放した状態で立設載置し得るように構成し、このＶ字開き角Ｒが、前記偏平体間の底部に炭や固形燃料などの燃料を配設でき、且つ、この偏平体間に加熱物を架設配設し得るように構成し、この所定のＶ字開き角Ｒを保持し得る架設保持体５を偏平体間に架設し得るように構成」したものである。
【０００３】
上記構成は、機能的で、コンパクトで、携帯性に秀れているものの、支持体としての偏平体１，２に載せる網体（加熱物載置用の網）７が複数枚必要である、Ｖ字開き角Ｒに開いた一対の偏平体１，２の開き角度を保持するための保持枠部材が必要である、容器がヒンジ部材１４寄りの部位に置くと、落下する恐れがある、部品点数が多い等の理由から、携帯性、操作性及びバランス性、さらに製作上の観点から解決すべき問題点があった。そこで、このような問題点を解決するために本発明が出現した（符号は特許文献１のもの）。
【先行技術文献】
【特許文献】
【０００４】
【特許文献１】特開２０００−７０１４４号公報
【発明の概要】
【発明が解決しようとする課題】
【０００５】
本願発明の主たる目的は、携帯性、操作性及びバランス性に優れた携帯型の飲食物容器用スタンドを提案することである。また本願発明の目的は、簡単に組み合わせることができるように部品点数を極力すくなくすることである。なお、本願発明の二次的な目的は、缶詰を加熱するのに適していることである。
【課題を解決するための手段】
【０００６】
本発明の携帯型の飲食物容器用スタンドは、それぞれ枠状に折り曲げ形成され、かつその一部にそれぞれ上下の支持部３、５、１３、１５を有する第１支持体１と第２支持体１１とを開閉自在に組み合わせ、下方に配設された熱源（固形燃料）Ｆの熱を前記上の支持部３、１３に載せた飲食物の容器に与える携帯型の飲食物容器用スタンドＸであって、前記第１支持体の上の支持部３は、前記飲食物の容器に前記熱源の熱を与える略円形中央部２の側周面２ｂに二方向に延びるように、かつ水平方向で回転対称になるように左右一対連設され、さらに、前記上の支持部の一辺の前記略円形中央部２の側周面に連設する根本部位には、少なくとも一つのストッパ部３ａが設けられ、一方、前記第２支持体１１の上の支持部１３の内端部１３ａは、切欠部１２によって形成され、かつ前記略円形中央部の側周面２ｂに対して対面状態で挟む切欠面１２ａを有し、前記第１支持体と前記第２支持体１１は、前記上の支持部が互いに略平行状態の閉じた姿勢から相対的に回転して略Ｘ状に開いた姿勢になったとき、前記ストッパ部３ａは前記切欠面１２ａの一端部を受け止め、これが第１支持体と第２支持体の回転角度の限界点となることを特徴とする。
【０００７】
上記構成に於いて、第１支持体１は、側周面に直交する水平熱伝導面を有する略円形中央部２と、この略円形中央部２の外側に張出状に延びる左右一対の上の支持部と、該上の支持部の折り曲げ外端部にそれぞれ連設する左右一対の脚部と、該脚部の下端部にそれぞれ連設する左右一対の下の支持部と、該下の支持部の内端部に多少段差状に架設され、かつ中心開口を有する連結部とから成ることを特徴とする。また、第１支持体１の略円形中央部２には、熱源の熱を通す透孔８が形成されていることを特徴とする。
【０００８】
また、第２支持体１１は、内端部に切欠面１２ａを有する左右一対の上の支持部と、該上の支持部の折り曲げ外端部にそれぞれ連設する左右一対の脚部と、該脚部の下端部にそれぞれ連設する左右一対の下の支持部と、該下の支持部の内端部に連設すると共に中心軸孔を有する連結部とから成り、前記上の支持部、脚部、下の支持部及び連結部は、帯状の金属板を複数回折り曲げ形成され、全体として一部に切欠部１２を有する矩形枠状になっていることを特徴とする。
【０００９】
また、第１支持体１と前記第２支持体１１は、第１支持体１の略円形中央部２の略中心部を通る垂直軸線上に位置する下方の連結支軸２１を介して開閉自在であることを特徴とする。また、第１支持体１と第２支持体１１は、固形燃料Ｆを嵌め込むことができる凹所状受け部を有し、この凹所状受け部は、連結支軸２１を介して第１支持体１及び第２支持体１１に設けられていることを特徴とする。さらに、第１支持体１と前記第２支持体１１の上の支持部は、それぞれ中途部の外側が高くなる段差部を有し、さらに、上の支持部の折り曲げ外端部は、それぞれ上方に所定量突出する飲食物容器用落下防止部であることを特徴とする。
【００１０】
また、本発明の携帯型の飲食物容器用スタンドは、それぞれ枠状に折り曲げ形成され、かつその一部にそれぞれ上下の支持部３、５、１３、１５を有する第１支持体１と第２支持体１１とを開閉自在に組み合わせ、下方に配設された熱源の熱を前記上の支持部３、１３に載せた飲食物の容器に与える携帯型の飲食物容器用スタンドＸであって、前記第１支持体の上の支持部３は、前記飲食物の容器に前記熱源の熱を与える略円形中央部２の側周面２ｂに二方向に延びるように、かつ水平方向で回転対称になるように左右一対連設され、さらに、前記略円形中央部の下方に位置する前記第１支持体１及び第２支持体１１の略中央部は、各々前記下方の支持部に交差状に連設する連結部６、１６となっており、前記第１支持体と前記第２支持体は、前記上の支持部が互いに略平行状態の閉じた姿勢から相対的に回転して略Ｘ状に開いた姿勢になったとき、前記第１支持体の連結部６の下向き凹所の内壁面の外縁部分６ａと前記第２支持体の連結部１６の連設角部分１６ａとが互いに干渉し合って該第１支持体１と第２支持体１１が所定角度以上に回転しないことを特徴とする。
【００１１】
上記構成に於いて、第１支持体１の上の支持部３の一辺の略円形中央部２の側周面２ｂに連設する根本部位には、少なくとも一つのストッパ部３ａが設けられ、一方、第２支持体１１の上の支持部１３の内端部１３ａは、切欠部１２によって形成され、かつ略円形中央部２の側周面２ｂに対して対面状態で挟む切欠面１２ａを有し、第１支持体１と第２支持体１１は、上の支持部３、１３が互いに干渉し合って回転角度の限界点となることを特徴とする。
【発明の効果】
【００１２】
本発明は、携帯性、操作性及びバランス性に優れている共に、部品点数が少ないので、簡単に組み合わせることができる（コンパクト性、使い易さ、転倒防止、安価など）。また、第１支持体は、略円形中央部を有しているので、火力が一点に集中せずに缶詰や缶コーヒー等を温めることができる。なお、従属項によっては、固形燃料が倒れない、容器の形状や大きさに対応して支持することができる、飲食物容器が容易に落下しない等の効果がある。
【図面の簡単な説明】
【００１３】
図１乃至図１４は本発明の第１実施形態を示す各説明図、図１５は図２の状態で飲食物の容器を載せた説明図、図１６は本発明の第２実施形態を示す説明図。
【図１】第１支持体１と第２支持体１１の各支持部が互いに略平行状態に閉じた斜視図。
【図２】第１支持体１と第２支持体１１が互いに相対的に回転してＸ状に開いた状態の斜視図。
【図３】図１の平面図。
【図４】図２の平面図。
【図５】図３を基準にした底面図で、（ａ）は第１支持体１と第２支持体１１の各支持部が互いに略平行状態に閉じた状態、（ｂ）は第１支持体１と第２支持体１１が互いに相対的に回転してＸ状に開いた状態である。
【図６】第１支持体１と第２支持体１１が連結支軸２１を介して一体的に設けられた概略断面説明図（凹所状受け部を加味した実施形態）。
【図７】第１支持体１と前記第２支持体１１の回転角度の限界点を説明する平面視からの説明図。
【図８】第１支持体１の平面図。
【図９】図８の９−９線の一部（第１支持体の略円形中央部のみ）の拡大端面図。
【図１０】第１支持体１の正面図。
【図１１】第１支持体１の底面図。
【図１２】第２支持体１１の平面図。
【図１３】第２支持体１１の正面図。
【図１４】第２支持体１１の底面図。
【図１５】図２の状態で、例えば缶詰を載せた説明図。
【図１６】第２実施形態の図２と同様の斜視図。
【発明を実施するための最良の形態】
【００１４】
（１）発明の概要
図１乃至図１４は、本発明の第１実施形態の各説明図である。まず、図１乃至図５は、斜視図、平面図及び底面図により、本実施形態の携帯型の飲食物容器用スタンドＸ（以下、「スタンドＸ」という）を構成する第１支持体１と第２支持体１１が、互いに閉じた状態から所定角度まで自由自在に開くことができる旨の各説明図である。第１支持体１と第２支持体１１は、例えば図１、図２、図６で示すように、ボス部或いは連結支軸２１を介して一体的に設けられており、これらの連結部６は、第１支持体１と第２支持体１１が所定角度まで回転すると（開くと）、互いに干渉し合う。
【００１５】
したがって、第１支持体１と第２支持体１１は、例えば図７で示すように、それらの上下の支持部３、５、１３、１５が離れる方向へと開くと、所定角度で停止する。第１支持体１と第２支持体１１は、相対的に回転可能である。ここで「相対的に回転可能」とは、第１支持体１と第２支持体１１が、図示しない操作力により同時に接離する方向に回転する態様のみならず、一方の支持体（例えば第１支持体１）を略固定状態にして、他方の支持体（例えば第２支持体１１）を接離する方向に回転する場合も含まれる。
【００１６】
図７は第１支持体１と第２支持体１１の回転角度の限界点を説明する平面視からの説明図である。該図７から当業者が読み取れるように、第１支持体１と第２支持体１１は、透孔８を有する略中央部２から左右に回転対称に延出する上の支持部３，３が、互いに略平行状態の閉じた姿勢から相対的に回転して平面視略Ｘ状に開いた姿勢になったとき、第１支持体１のストッパ部３ａは第２支持体１１の切欠部１２の切欠面１２ａの一端部を受け止め、これが該第１支持体１と第２支持体１１の回転角度の限界点となる。
【００１７】
実施形態では、図４で示すように、第１支持体１と第２支持体１１の回転角度の限界点となった場合の開き角度θは、好ましくは略５０度である。もちろん、実施形態の開き角度θは、これに限定されるものではなく、スタンドＸが容易に転倒しない角度であれば、略６０度、図４０度等でも良い。要するに発明の課題を逸脱しない範囲内に開き角度θを設定することができる。
【００１８】
（２）特徴事項
スタンドＸは、それぞれ枠状に折り曲げ形成され、かつその一部にそれぞれ上下の支持部３、５、１３、１５及び左右一対の脚部４，１４を有する第１支持体１と第２支持体１１とを開閉自在に組み合わせている。実施形態では、第１支持体１と第２支持体１１の各下の支持部５、１５の略中央部（連結部）６、１６の中心開口７及び小さな中心軸孔１７に垂直状態に嵌め込まれた頭部を有するピン状の連結支軸２１を介して一体的に連結され、かつ手の操作力により水平方向に挟み揺動自在に開閉する。
【００１９】
また実施形態では、例えば図６で示すように、第１支持体１と第２支持体１１は、固形燃料Ｆを嵌め込むことができる凹所状受け部Ｙを有し、この凹所状受け部Ｙは、前記連結支軸２１を介して第１支持体１又は第２支持体１１の中央部（連結部）６、１７の内面に摺接可能に取付けられている。実施形態では、図６で示すように、第１支持体１の下方のやや高めの連結部６の下面に第２支持体１１の連結部１６が交差状態に入り込んでいる。
発明の主たる課題との関係では、前記凹所状受け部Ｙ及び固形燃料Ｆは、本発明の本質的事項ではない。したがって、凹所状受け部Ｙ又は／及び固形燃料Ｆを除外し、「スタンドＸのみ」を販売しても「直接侵害」に該当するものである。
【００２０】
好ましくは、第１支持体１の上の支持部３、３に連続する略円形中央部２の下方に所要空間を有するように前記凹所状受け部Ｙを位置付けし、該凹所状受け部Ｙに熱源としての固形燃料Ｆ（例えば市販の蝋燭）を入れる。スタンドＸの上方の略円形中央部２と下方の中央部（連結部）６の間の空間に配設された前記固形燃料Ｆが燃えると、その熱は、第１支持体１と第２支持体１１の各支持部３、１５に載せた飲食物の容器Ｚに直接又は間接的に伝わる。
【００２１】
ところで、固形燃料Ｆの熱が直接伝わる場合は、水平熱伝導面を有する略円形中央部２に、その形状や大きさ如何を問わず、単数又は複数の透孔８が形成されている。
【００２２】
特に図示しないが、実施形態のスタンドＸは、手軽に携帯可能であり、例えばキャンプ場、山小屋などに於いて、第１支持体１と第２支持体１１を開き、該第１支持体１と第２支持体１１の上の支持部３，１３に載せられた飲食物の容器Ｚに対して、該第１支持体１と第２支持体１１の下方にボス部或いは連結支軸２１（本実施形態）を介して設けられた凹所状受け部Ｙに熱源Ｆを入れ、該熱源Ｆの熱を前記飲食物の容器Ｚに与えるものである。
【００２３】
ここで、実施形態のスタンドＸの特徴事項の１つは、第１支持体１の上の支持部３は、平面視、飲食物の容器Ｚに熱源Ｆの熱を与える略円形中央部２の円弧状の周側面（外周縁）２ｂに二方向に延びるように、かつ水平方向で回転対称になるように左右一対連設され、さらに、前記上の支持部３の一辺の前記略円形中央部２の対称的な側周面２ｂ、２ｂにそれぞれ連設する根本部位（内端部の一端）には、少なくとも一つの（実施形態では、回転対称に一対の）ストッパ部３ａ、３ａが設けられ、一方、前記第２支持体１１の上の支持部の略中央部２には、前記略円形中央部２の側周面に対して対面状態で挟む切欠面１２ａを有する切欠部１２が形成され、前記第１支持体１と前記第２支持体１１は、これらの上の支持部３、１３が互いに略平行状態の閉じた姿勢から相対的に回転して平面視略Ｘ状に開いた姿勢になったとき、例えば図７で示すように、前記ストッパ部３ａは前記切欠面１２ａの一端部を受け止め、これが該第１支持体１と前記第２支持体１１の回転角度の限界点となることである。
【００２４】
（３）第１支持体１の具体的構成
図８は第１支持体１の平面図、図９は図８の９−９線拡大端面図、図１０は第１支持体１の正面図及び図１１は第１支持体１の底面図である。これらの図に於いて、第１支持体１は、側周面（外周縁）２ｂに直交する実体部分の水平熱伝導面を有する略円形中央部２と、この略円形中央部２の外側に張出状に延びる左右一対の上の支持部３と、これらの上の支持部３の折り曲げ外端部３ｂに、その上端部４ａがそれぞれ連設する左右一対の脚部４と、これらの脚部４の傾斜状下端部４ｂにそれぞれ連設する左右一対の水平状の下の支持部５と、これらの下の支持部５の内端部に所定の角度を有して連設し、かつ多少段差状に架設されていると共に、中心開口７を有する連結部６とから成る。
【００２５】
実施形態では、例えば図４で示すように、第１支持体１の略円形中央部２には、その小円形状実体部の中心Ｏを基準にすると、熱源Ｆの熱を通す大小の複数の弧状透孔８が、略同心円上に形成されている。したがって、熱源Ｆの熱が略全て容器Ｚの底面に直接伝わるものではなく、略円形中央部２の弧状透孔８を除く水平熱伝導面は、熱源Ｆの熱を容器Ｚの底面に間接的に与えるものである（構造的に火力が調整されている）。特に、実施形態では、容器の一例としての「缶詰Ｚ」を所望の温度まで温めるために弧状透孔８の数や形状に工夫を凝らしている。
【００２６】
なお実施形態では、例えば図８及び図１１で示すように、左右一対の上下の支持部３，５は、各一辺がそれぞれ水平方向にシフトした状態で羽状に延びている。また上下の支持部３，５は、横長の長方形を基調とし（ある程度の幅を有する長板状の支持アームであり）、各内端部は略円形中央部２の曲率や傾斜に対応して連設しているので、全体として縦断面が矩形枠状である（図１０参照）。第１支持体１の材質は適宜に選択され、例えばステンレス、アルミニュームなどが使用されている。さらに、略円形中央部２は透孔８を有するが、設計如何によっては、略円形中央部２に開口を形成し、該開口に自在に嵌着する中蓋を設けても良い。
【００２７】
（４）第２支持体１１の具体的構成
第２支持体１１は第１支持体１の開閉に対応する形状である。例えば上下の支持部１３、１５は、各一辺がそれぞれシフトした状態で羽状に延びている。また第１支持体１の上下の支持部３、５と同様に横長の長方形を基調としている。
【００２８】
図１２は第２支持体１１の平面図、図１３は第２支持体１１の正面図及び図１４は第２支持体１１の底面図である。これらの図に於いて、第２支持体１１は、略中央部に切欠部１２を形成することにより生じた切欠面１２ａを内端部１３ａに有する左右一対の上の支持部１３と、これらの上の支持部の折り曲げ外端部１３ｂにその上端部１４ａがそれぞれ連設する左右一対の脚部１４と、これらの脚部１４の傾斜状下端部１４ｂにそれぞれ連設する左右一対の水平状の下の支持部１５と、これらの下の支持部の内端部に角度方向かつ面一状に連設すると共に、小さな中心軸孔１７を有する連結部１６とから成り、前記上の支持部１３、略垂直の脚部１４、水平状の下の支持部１５及び斜めの連結部１６は、帯状の金属板を複数回折り曲げ形成され、全体として、上方中央部に切欠部１２を有する矩形枠状になっている（図１３参照）。
【００２９】
（５）第１支持体１と第２支持体１１の組合せ構造
図６で示すように、第１支持体１と第２支持体１１は、第１支持体１の略円形中央部２の略中心部Ｏを通る垂直軸線Ｖ上に位置する下方のカシメ可能な連結支軸２１を介して開閉自在である。また、例えば図２、図１０及び図１３で示すように、第１支持体１と第２支持体１１の上の支持部３、１３は、それぞれ中途部の外側が高くなる段差部２２、２３を有し、さらに、上の支持部３，１３の各折り曲げ外端部３ｂ、１３ｂは、それぞれ上方に所定量突出する飲食物容器用落下防止の機能を有する。
【００３０】
ここで、本発明の特徴事項の１つを説明する。図５の（ａ）は第１支持体１と第２支持体１１の各支持部が互いに略平行状態に閉じた状態である。一方、図５の（ｂ）は第１支持体１と第２支持体１１が互いに相対的に回転してＸ状に開いた状態である。これらの図に於いて、６ａは第１支持体１の連結部６の下向き凹所の内壁面の外縁部分、１６ａは第２支持体１１の連結部１６の連設角部分で、本実施例では、それぞれ二箇所あり、図５の（ａ）及び図５の（ｂ）で示すように、第１支持体１の連結部６と第２支持体１１の連結部１６が互いに略平行状態の閉じた姿勢から相対的に回転して略Ｘ状に開いた姿勢になったとき、第１支持体の連結部６の下向き凹所の内壁面の外縁部分６ａと前記第２支持体の連結部１６の連設角部分１６ａとが互いに干渉し合って受け止め、これが該第１支持体１と前記第２支持体１１の回転角度の限界点となることである。
【００３１】
このように構成すると、第１支持体１と第２支持体１１が所定角度以上に回転しない効果がある。
【００３２】
なお、特に図示しないが、前記第１支持体１と第２支持体１１の上の支持部の上面の適宜箇所には、例えば缶詰Ｚが回転しないように複数の小突起を設けることもできる。また、実施形態では、頭部を有するカシメ可能な連結支軸２１を用いて第１支持体１と第２支持体１１とを回転自在に結合しているが、第１支持体１と第２支持体１１の下方の中央部（連結部）６、１７を適宜に設計変更して、両方を回転自在に構成しても良い（例えば連結部６、１７を互いに環状輪或いは一部切欠を有するＣリング形状に形成し、互いの環状輪或いはＣリング部を摺接自在に嵌合させる構造）。
【実施例】
【００３３】
図１６は本発明の第２実施形態を示す説明図である。第２実施形態の説明に当って、第１実施形態と同一の部分には同一又は同様の符号を付して重複する説明を割愛する。この第２実施形態が第１実施形態と主に異なる点は、第１支持体１Ａの熱源の熱を与える略円形中央部２Ａは、透孔を有しないことである。つまり、略円形中央部２Ａの側周面２ｂに直交する水平熱伝導面２ａは、全て実体部分となっている点である。このように構成すると、固形燃料の熱が容器に間接的に伝わるので、例えば缶詰を温める場合に適している。
【産業上の利用可能性】
【００３４】
本発明は、お湯を沸かす、缶詰を温める等に適した携帯型の飲食物容器用スタンドとして利用することができる。もちろん、缶コーヒー、缶型のホットカクテル、容器型お酒等を温めるにも適している。
【符号の説明】
【００３５】
Ｘ…携帯型の飲食物容器用スタンド、
Ｙ…凹所状受け部、
Ｚ…容器、
Ｆ…熱源、
Ｏ…小円形状実体部の中心、
Ｖ…垂直軸線、
１、１Ａ…第１支持体、
２、２Ａ…略円形中央部、
２ａ…水平熱伝導面、
２ｂ…側周面、
３…第１支持体の上の支持部、
３ａ…ストッパ部、
３ｂ…折り曲げ外端部、
４、１４…脚部、
５、１５…下の支持部、
６、１６…連結部、
６ａ…内壁面の外縁部分、
１６ａ…連設角部分、
１７…軸孔、
８…透孔、
１１…第２支持体、
１２…切欠部、
１２ａ…切欠面、
１３…第２支持体の上の支持部、
１３ａ…内端部、
２１…連結支軸、
２３…段差部。
【図１】
2018094106.tif 000003
【図２】
2018094106.tif 000004
【図３】
2018094106.tif 000005
【図４】
2018094106.tif 000006
【図５】
2018094106.tif 000007
【図６】
2018094106.tif 000008
【図７】
2018094106.tif 000009
【図８】
2018094106.tif 000010
【図９】
2018094106.tif 000011
【図１０】
2018094106.tif 000012
【図１１】
2018094106.tif 000013
【図１２】
2018094106.tif 000014
【図１３】
2018094106.tif 000015
【図１４】
2018094106.tif 000016
【図１５】
2018094106.tif 000017
【図１６】
2018094106.tif 000018